(57)【要約】【課題】一つの設計に対して実行する多くの検証シミュレーションの作業の手間を省くことができ、３次元シミュレーションに適したカール形状の設定装置等を提供すること。【解決手段】装置は、媒体種類・サイズ・カール形状の条件に基づき予めカール生成データファイル部に保存されているカール復元用の応力データを読み込み、フラット形状の媒体モデルに残留応力として付与するデータとして、シミュレーションプログラムに渡す。【選択図】図２
2010067222.tif 000002
【特許請求の範囲】
【請求項１】
シート状の柔軟媒体を搬送する搬送装置設計検証のための、搬送経路内を移動する柔軟媒体挙動のシミュレーションを行うために必要な、シミュレーションのための情報を生成する情報処理装置であって、
媒体の種類、サイズ、カール形状の組み合わせによる多数のシミュレーションを実行する前に、
前記三つのうち二つをマトリックスに配した選択部を有し、
残りの一つを選択する選択部を各マトリックス要素内に有し、
情報処理実行部を有し、
該実行部にて実行する情報処理内容が、
媒体種類・サイズ・カール形状の条件に基づき予めカール生成データファイル部に保存されているカール復元用の応力データを読み込み、フラット形状の媒体モデルに残留応力として付与するデータとして、シミュレーションプログラムに渡す事を特徴とした情報処理装置。
【請求項２】
自動的にジョブ管理を行うプログラムと連動させ、媒体の種類、サイズ、カール形状の組み合わせによる各ケースを順次シミュレーションさせることを特徴とする請求項１記載の情報処理装置。
【請求項３】
メモリ／プロセス間通信部を介して、各プログラムを起動したままシミュレーションを行うことを特徴とする請求項１または２記載の情報処理装置。
【請求項４】
シート状の柔軟媒体を搬送する搬送装置設計検証のための、搬送経路内を移動する柔軟媒体挙動のシミュレーションを行うために必要な、シミュレーションのための情報を生成する、
媒体の種類、サイズ、カール形状の組み合わせによる多数のシミュレーションを実行する前に、
前記三つのうち二つをマトリックスに配した選択部を有し、
残りの一つを選択する選択部を各マトリックス要素内に有し、
情報処理実行部を有する情報処理装置における設計検証シミュレーション方法であって、
該実行部にて実行する情報処理内容が、
媒体種類・サイズ・カール形状の条件に基づき予めカール生成データファイル部に保存されているカール復元用の応力データを読み込み、フラット形状の媒体モデルに残留応力として付与するデータとして、シミュレーションプログラムに渡す事を特徴とした設計検証シミュレーション方法。
【請求項５】
自動的にジョブ管理を行うプログラムと連動させ、媒体の種類、サイズ、カール形状の組み合わせによる各ケースを順次シミュレーションさせることを特徴とする請求項４記載の設計検証シミュレーション方法。
【請求項６】
メモリ／プロセス間通信部を介して、各プログラムを起動したままシミュレーションを行うことを特徴とする請求項４または５記載の設計検証シミュレーション方法。
【発明の詳細な説明】
【技術分野】
【０００１】
本発明は、複写機、プリンタ、印刷機など、機器内部を搬送される用紙の変形挙動を予測する計算機シミュレーション実行に必要な入力データファイル生成装置に関する。
【背景技術】
【０００２】
複写機やプリンタなど、柔軟媒体を搬送する装置の設計評価に、シミュレーションを用いた検証が行われている。その評価項目は、柔軟媒体ジャムや搬送するローラでのスリップ量などである。従って、この検証には装置で使用する薄紙から厚紙、ジャムしやすいカール形状を入力してシミュレーションしなければならない。
【０００３】
特許文献１では、柔軟媒体搬送装置の断面領域でシミュレーションする場合、特に柔軟媒体を剛体線分と線分同士を回転バネを介して回転ジョイントで連結した計算モデルの場合、カールした柔軟媒体の搬送経路内における挙動を精度良くシミュレーションできる設計支援プログラムを提供している。ここには、前処理を行うＧＵＩにて媒体種類の選択箇所、や２次元的なカール形状の定義方法が示されている。
【特許文献１】特開２００６−２４８７７０号公報
【発明の開示】
【発明が解決しようとする課題】
【０００４】
ところが、上述の従来技術では、媒体種類ごとに同様な設定が必要で作業の手間が多い、また、３次元シミュレーションには向かない、さらに、汎用の有限要素法シミュレーションプログラムには適していないといった問題点がある。
【０００５】
本発明は上述のごとき実情に鑑みてなされたもので、その目的は、一つの設計に対して実行する多くの検証シミュレーションの作業の手間を省くことができ、３次元シミュレーションに適したカール形状の設定装置等を提供することにある。
【課題を解決するための手段】
【０００６】
請求項１に記載の発明は、シート状の柔軟媒体を搬送する搬送装置設計検証のための、搬送経路内を移動する柔軟媒体挙動のシミュレーションを行うために必要な、シミュレーションのための情報を生成する情報処理装置であって、媒体の種類、サイズ、カール形状の組み合わせによる多数のシミュレーションを実行する前に、三つのうち二つをマトリックスに配した選択部を有し、残りの一つを選択する選択部を各マトリックス要素内に有し、情報処理実行部を有し、実行部にて実行する情報処理内容が、媒体種類・サイズ・カール形状の条件に基づき予めカール生成データファイル部に保存されているカール復元用の応力データを読み込み、フラット形状の媒体モデルに残留応力として付与するデータとして、シミュレーションプログラムに渡す事を特徴とした情報処理装置である。
【０００７】
請求項２に記載の発明は、請求項１記載の情報処理装置において、自動的にジョブ管理を行うプログラムと連動させ、媒体の種類、サイズ、カール形状の組み合わせによる各ケースを順次シミュレーションさせることを特徴とする。
【０００８】
請求項３に記載の発明は、請求項１または２記載の情報処理装置において、メモリ／プロセス間通信部を介して、各プログラムを起動したままシミュレーションを行うことを特徴とする。
【０００９】
請求項４に記載の発明は、シート状の柔軟媒体を搬送する搬送装置設計検証のための、搬送経路内を移動する柔軟媒体挙動のシミュレーションを行うために必要な、シミュレーションのための情報を生成する、媒体の種類、サイズ、カール形状の組み合わせによる多数のシミュレーションを実行する前に、三つのうち二つをマトリックスに配した選択部を有し、残りの一つを選択する選択部を各マトリックス要素内に有し、情報処理実行部を有する情報処理装置における設計検証シミュレーション方法であって、実行部にて実行する情報処理内容が、媒体種類・サイズ・カール形状の条件に基づき予めカール生成データファイル部に保存されているカール復元用の応力データを読み込み、フラット形状の媒体モデルに残留応力として付与するデータとして、シミュレーションプログラムに渡す事を特徴とした設計検証シミュレーション方法である。
【００１０】
請求項５に記載の発明は、請求項４記載の設計検証シミュレーション方法において、自動的にジョブ管理を行うプログラムと連動させ、媒体の種類、サイズ、カール形状の組み合わせによる各ケースを順次シミュレーションさせることを特徴とする。
【００１１】
請求項６に記載の発明は、請求項４または５記載の設計検証シミュレーション方法において、メモリ／プロセス間通信部を介して、各プログラムを起動したままシミュレーションを行うことを特徴とする。
【発明の効果】
【００１２】
一つの設計に対して実行する多くの検証シミュレーションの作業の手間を省くことができ、３次元シミュレーションに適したカール形状の設定装置等を提供することができる。
【発明を実施するための最良の形態】
【００１３】
以下、本発明の好適な実施の形態について、図１〜図９を参照して詳細に説明する。
【００１４】
図１は装置構成である。通信ネットワークに接続した計算専用サーバー、ユーザが作業を行うクライアントＰＣがつながっている。
【００１５】
図２は情報処理装置の概念図である。
プログラム格納部よりシミュレーションプログラム、プリポストプログラムあるいは情報処理プログラムがファイルＩ／Ｏ部から読み出され、制御部にて実行される。プログラムへのキーボードあるいはマウス等のポインティングデバイスによる入力が入力部より、プログラムの実行画面が表示部に表示される。
【００１６】
プリポストプログラムはＣＡＤデータファイル部より設計情報を読み込み、有限要素法の節点・要素を生成し境界条件、柔軟媒体の有限要素が生成され、そのデータがシミュレーションのための情報ファイル部に保存される。
【００１７】
情報処理プログラムでは、ユーザは媒体種、サイズ、カール形状を選択すると、柔軟媒体特性ファイル部から、ヤング率、密度（坪量、体積密度など）、厚み、減衰定数を読込む。さらに、媒体種・サイズ・カール形状に一致するカール生成データをカール生成データファイル部より読込む。これらの情報を、先ほどのシミュレーションのための情報ファイル部に保存したファイルに追加し、シミュレーションケース毎に別ファイルとして保存する。
【００１８】
汎用プログラム部で実行されるシミュレーションプログラムは、先のシミュレーションのための情報ファイル部からケース毎にファイルを順次読み込みシミュレーションを実行し、その結果をシミュレーション結果ファイル部に保存する。
【００１９】
プリポストプログラムはシミュレーション結果ファイル部からデータを読み込み、媒体挙動のアニメーションや応力、摩擦力などの特性値を参照し設計検証を行う。
【００２０】
図３は柔軟媒体条件を設定する画面である。媒体種（行）とカール形状（列）のマトリックス表示となっている。
【００２１】
図４は図３のマトリックス一要素の拡大図である。
トグルボタンにサイズと送り方向が示されている。“Ｔ”や“Ｙ”はそれぞれ、縦送り、横送り。サイズは例として、Ａ５（Ａ５）、Ａ４（Ａ４）、レター（ＬＴ）、リーガル（ＲＧ）、Ａ３（Ａ３）、Ａ３のび（Ａ３のび）を示した。ここで、“Ａ４−Ｔ”、“ＬＴ−Ｙ”、“ＲＧ−Ｙ”が選択されている。
【００２２】
図示しないが、紙Ａ、紙Ｃ、紙Ｆ、カールａ、カールｄが交わる箇所で、図４の選択がなされていると、全部で３（紙）×２（カール）×サイズ（３）＝１８ケースになる。実行ボタンをクリックすると一度に１８ファイルが保存される。また、自動的にジョブ管理を行うプログラムと連動していれば、１８ケースを順次シミュレーションさせることができる。
【００２３】
ここでは各ケース毎にファイルを生成保存したが、これを行わずに図２のメモリ／プロセス間通信部を介して、各プログラムを起動したままシミュレーションを行う事もできる。
【００２４】
図５はフラット紙の場合のシミュレーションの初期状態概念図である。
フラット紙が搬送ローラに挟持されている。搬送ガイド間にフラット紙が搬送されて行くときの挙動解析ができる。
【００２５】
図６はカール紙の場合の従来シミュレーションの初期状態概念図である。
カール紙を搬送ローラで挟持した初期状態をシミュレーション内で再現するには、ローラを退避しておき、シミュレーション実行後ローラを元の位置に移動してカール紙を挟持する過程をシミュレーションし、次にローラを回転させてシミュレーションを行う２段階が必要である。
【００２６】
図７はカール紙の再現方法概念図である。
フラット紙に応力を付与すると、カール形状を再現する事ができる。予め応力を求めておき、カール生成データファイル部に保存しておく。
【００２７】
図８はカール紙の場合の新しいシミュレーションの初期状態概念図である。
図５のフラット紙の初期状態を用いる。シミュレーションのスタートと共に、残留応力を与えれば図６のように搬送ローラに関する２段階の処理を行うことなく、カール形状でのシミュレーションが実行できる。
【００２８】
図９は図３の実行ボタンをクリックし、ケース毎のシミュレーション情報ファイルにカール形状データを追加する時のフローを示す図である。例えば、実行ボタンをクリックすると、チェックされたカール形状データファイルから応力データの読込みを行い、シミュレーション情報ファイルへの追加書き出しを行う。
【００２９】
上記の本実施の形態によれば、マトリックス状の媒体種、カール形状選択部を有し、さらにそれぞれについてサイズ設定が行える。さらに、クリックするだけでシミュレーション検証に必要な多数のシミュレーションのための情報ファイルを一度に生成でき、作業の手間が省かれる。
【００３０】
さらに、カール形状を残留応力つきのフラット紙で再現することで、従来はカール紙シミュレーションの初期状態再現に２段階以上の処理が必要であったが、不要となったために作業数を省くことができる。
【００３１】
これらにより、設計者でもＧＵＩによる少ない処理回数で、柔軟媒体搬送装置設計における検証シミュレーション実行を格段に安易にした。
【００３２】
なお、上述する各実施の形態は、本発明の好適な実施の形態であり、本発明の要旨を逸脱しない範囲内において種々の変更実施が可能である。
【図面の簡単な説明】
【００３３】
【図１】本発明の実施形態に係る装置構成図である。
【図２】本発明の実施形態に係る情報処理装置の概念図である。
【図３】柔軟媒体条件を設定する画面を示す図である。
【図４】図３のマトリックス一要素の拡大図である。
【図５】フラット紙の場合のシミュレーションの初期状態概念図である。
【図６】カール紙の場合の従来シミュレーションの初期状態概念図である。
【図７】カール紙の再現方法概念図である。
【図８】カール紙の場合の新しいシミュレーションの初期状態概念図である。
【図９】図３の実行ボタンをクリックし、ケース毎のシミュレーション情報ファイルにカール形状データを追加する時のフロー示す図である。
【図１】
2010067222.tif 000003
【図２】
2010067222.tif 000004
【図３】
2010067222.tif 000005
【図４】
2010067222.tif 000006
【図５】
2010067222.tif 000007
【図６】
2010067222.tif 000008
【図７】
2010067222.tif 000009
【図８】
2010067222.tif 000010
【図９】
2010067222.tif 000011